(57)【特許請求の範囲】
【請求項１】
少なくとも二極性の結合のための差込み部（１）と結合部（２）から成る差込み結合体であって、
この場合、差込み部（１）が短絡接触部を備えており、この短絡接触部がバネ接触部（９）と相手側接触部（１０）とから成り、これらの接触部が差込み部（１）と結合部（２）の差込まれていない位置において、互いに接触しており、かつ異なって極性を与えられた差込み部（１）内の導体に短絡しており、
その際さらに結合部（２）が非導電材料から成る少なくとも一つの分離要素（１１）を備えており、この分離要素が差込み部（１）と結合部（２）が差込まれて配設された状態で、短絡を切ることにより差込み部（１）のバネ接触部（９）と相手側接触部（１０）の間に挿入されている差込み結合体において、
差込み部（１）が互いに接して添付可能なモジュール（３）から、及び結合部（２）が互いに接して添付可能なモジュール（４）から成り、これらのモジュール（３，４）が互いに短絡されるべき、かつ異なって極性を与えられた導体毎に所属しており、
この場合、差込み部モジュール（３）がその第一接合側（５）においてはバネ接触部（９）を、そしてその第二の相対する接合側（６）においてはバネ接触部（９）に対応する配置で相手側接触部（１０）を備えており、その際さらに差込み部モジュール（３）が少なくとも一つの接合側（５，６）において、互いに接して当接している、互いに隣接した差込み部モジュール（３）の接合側（５，６）間に、接合空域（１２）が存在するように輪郭を与えられており、この接合空域内において、バネ接触部（９）が各第一モジュール（３）に、そして相手側接触部（１０）が各第二モジュール（３）に互いに接触し、
この場合さらに、結合部モジュール（４）の分離部材（１１）が、差込み部モジュール（３）間の接合空域（１２）との差込み過程の際に一直線に並び、かつ差込まれた配置において、差込み部モジュール（３）のバネ接触部（９）と相手側接触部（１０）の間まで達するように形成されていること、
差込み部モジュール（３）が各々、短絡接触片（１９）を備えており、この短絡接触片において、差込み部（１）のバネ接触部（９）の一つと相手側接触部（１０）の一つが一緒に形成されていること、および、
短絡接触片（１９）が接触板（２０）を有しており、この接触板が、モジュールケーシングの肉厚部（２５）の上方に設けられる開口部（２６）によってモジュール（３）の第一接合側（５）で自由になっておりかつ相手側接触部（１０）を形成する接触領域（２１）を有していることを特徴とする差込み結合体。
【請求項２】
両最終端側の結合部モジュール（４）の一方の分離部材（１１）が差込まれた配置において同極の差込み部モジュール（３）の自由な接合側（５又は６）に関係する接触部（８または１０）にオーバーラップするように構成されていることを特徴とする請求項１記載の差込み結合体。
【請求項３】
差込み部モジュールと結合部モジュール（３，４）が、ｎ個の接合側（５，６；７，８）において突出する差込みピン（１３）を有しており、従って対応する差込み孔（１４）を有していることを特徴とする請求項１記載の差込み結合体。
【請求項４】
差込み部モジュールと結合部モジュール（３，４）が、その接合側（５，６；７，８）において固定フック（１５）を有しており、従って協働する固定脚節部（１６）を有していることを特徴とする請求項１〜３のいずれか一つに記載の差込み結合体。
【請求項５】
結合部モジュール（４）が分離部材（１１）として差込み方向で突出している分離壁を備えており、この分離壁がこの結合部モジュール（４）の接合側（６，７）の一つの延長部内に設けられていることを特徴とする請求項１〜４のいずれか一つに記載の差込み結合体。
【請求項６】
接触片（１９）が、バネ接触部（９）を形成し、かつ接触板（２０）に設けられた接触個所（２３）を有するバネ脚部（２２）を備えており、このバネ脚部が接触板（２０）の接触領域（２１）と同じ高さで配置されており、かつ接触しない、荷重が取除かれた位置においてモジュール（３）の第二接合側（６）で突出していることを特徴とする請求項１から５のいずれか一項に記載の差込み結合体。
【請求項７】
バネ脚部（２２）が彎曲関節部（２４）を用いて接触片（１９）の接触板（２０）に形状一体的に形成されていることを特徴とする請求項６記載の差込み結合体。
【請求項８】
接触片（１９）の接触板（２０）に二つのバネ脚部（２２）が設けられており、接触板（２０）の接触領域（２１）が、二つのこのようなバネ脚部（２２）が同時に接触することに適合していることを特徴とする請求項６または７に記載の差込み結合体。
【請求項９】
差込み部モジュール（３）と結合部モジュール（４）が同極の作動接点（１７，１８）を有しており、この作動接点の閉鎖が短絡接触部（８，９）の分離の差込み過程の際に先行するように構成されていることを特徴とする請求項１〜８のいずれか一つに記載の差込み結合体。
【発明の詳細な説明】
【技術分野】
【０００１】
本発明は、特許請求項１の上位概念の特徴による、差込み部に設けられた短絡接触部を備えた差込み結合体に関する。
【背景技術】
【０００２】
このような差込み結合体は特許文献１から公知である。この公知の構造体の場合、異なって極性を与えられた導体は全て、差込み部においても結合部においても、各々構造上のユニットにおいてはケーシングにより取囲まれた状態で設けられている。先に挙げた特許文書で示されたのとは違い、言及する様式の差込み結合体は三極あるいは多極で構成されていてもよく、この場合これらの変形の各々にとって、差込み部と結合部は、各々対応するように採寸された構造上のユニットを示しており、このために個別のケーシングが必要である。さらに同時に異なって極性を与えられた、互いに短絡した多数の導体において、二つ以上の二極性差込み結合体を組込むことを何とかすることができる。
【特許文献１】欧州特許翻訳文公報ＤＥ６９４０４８９１Ｔ２
【発明の開示】
【発明が解決しようとする課題】
【０００３】
本発明の根底をなす課題は、特に簡単な方法で、接続されるべき導体と短絡されるべき導体の数に適合できる、先に挙げた様式の差込み結合体を提供することにある。
【課題を解決するための手段】
【０００４】
この課題は、本発明により、冒頭で挙げた様式の差込み結合体において請求項１の特徴により解決される。
【０００５】
本発明にとって、差込み部も結合部も関係する差込み結合体は、二極性あるいは多極性の差込み結合体いかんによっては、相応する同じケーシングを備えた二つ以上の同じモジュールから組立てられていることが重要である。互いに相対的に不動に設けられ、かつ互いに確実に結合したモジュールは、一方においては差込み部を生み、他方においては結合部を生み、これらの差込み部と結合部は、簡単な方法で差込まれて一つにすることができ、再度互いから分離することができる。この場合、分離過程において、差込み部と結合部がその機械的案内を失う前に、閉鎖と短絡接触が実施されていることが配慮されている。
【０００６】
本発明の有利な形態の特徴は従属請求項から明らかである。
【発明を実施するための最良の形態】
【０００７】
本発明を以下に実施例の図を基にしてさらに詳しく説明する。
【実施例】
【０００８】
図１は一つ一つ、差込み部１を備えた差込み結合体を示しており、この差込み結合体は三つの差込み部モジュール３で組立てられている。同様に差込み部１と差込まれて一つになっている結合部２も三つの結合部モジュールで組立てられている。図中、左の結合部モジュール４は決まった構成部材の描写以外に、差込まれた最終端位置から離間されて、外へずらして示してある。差込み部モジュール３は互いに同じであり、同じように結合部モジュール４も互いに同一である。差込み部モジュールは図２と３に示すように、幅広側５及び６を有しており、この幅広側により差込み部モジュールは完全に等しい配列で接合することができる。したがって一方の幅広側は差込み部モジュール３の第一接合側５を形成し、第二幅広側は差込み部モジュール３の第二接合側６を形成する。アナログ的な方法で、結合部モジュール４は形成されており、かつ第一接合側７と第二接合側８を備えている。従って差込み部モジュール３は結合部モジュール４と同じように互いに同一のケーシング輪郭形状を有している。
【０００９】
差込み部モジュール３の接合側５，６には、及び結合部モジュール４の接合側７，８には、一方には突出している差込みピン１３が他方には座ぐられた差込み孔１４が配設されており、これらは互いに接合されたモジュール３，４をその幅方向で完全に等しく整向された状態で互いに固定している。モジュール３，４の保持は一方では第二接合側６，８に設けられた固定フック１５を介して、および同時に協働する固定肢節部１６を介して行われ、この固定肢節部は相対する第二接合側５，７に各々配置されている。
【００１０】
差込み部１のモジュール３は各々、モジュール内に挿入すべき、極性を与えられた導体の一つに所属しており、この導体は差込み結合体の差込まれた位置において、結合した結合部モジュール４の導体と接触する。この導体は同じ電圧極に所属している。この接触状態に関して、差込み部モジュール３では作動接点１７がチューリップ状接触部の形態で設けられており、結合部モジュール４では作動接点１８がチューリップ状の作動接点１７内に導入可能な剣の形状で設けられている。
【００１１】
異なって極性を与えられた差込み部の導体を差込まれていない状態で互いに短絡させるために、差込み結合体は差込み部１内に短絡接触部８，９を備えている。差込み結合体を分離する際、差込み部１と結合部２が互いになお機械的につながっており、さらに差込みモジュール３と結合モジュール４のすべての作動接点１７と１８は、なお互いに接続している場合に、この短絡はすでに生じる。ただ差込まれる最終端位置においてだけ、短絡接触部９，１０は互いに接続しておらず、これにより同様に差込み部１と結合部２が互いに差込まれて一つになる際、異なって極性を与えられた差込部分１の導体間の短絡が解除される前に、各々互いに組込まれた差込み部モジュール３と結合部モジュール４の作動接点１７と１８は閉じる。
【００１２】
短絡接触部９，１０の特徴は、短絡接触部が一方ではバネ接触部９としてかつ相手側接触部１０として差込み部モジュール３内に設けられた接触片１９に共通した状態で一緒に形成されていることにある。詳細には、全体でただ一つの材料から成る接触片１９の形状は図４と５からわかる。接触片１９は、固定孔２７を有する後方において平坦な板２０を備えている。下側において、板２０は約１８０だけ曲げ戻された彎曲関節部２４に続いており、この彎曲関節部は二つの互いに平行なバネ脚部２４に移行している。その上端部において、脚部２２は前方への彎曲部を備えており、この彎曲部の上部頭頂領域は各々、接触個所２３を形成している。したがって、接触個所２３を備えたバネ脚部２２は、並んで設けられた二つのバネ接触部９を形成している。相手側接触部１０は接触板２０の裏側にある接触領域２１により形成されている。この接触領域はバネ脚部２２の接触個所２３と同じ高さに設けられ、かつこのような二つのバネ脚部２２の二つの接触個所２３の当接のために相応して寸法取りされている。この接触位置は差込部モジュール３に各々隣接した差込部モジュール３の接触片１９にある。
【００１３】
接触片１９での接触板２０の裏側の接触領域２１は、差込部モジュール３の第一接合側５の取付け位置において自由である。それに関して図４から見て取れるように、モジュールケーシングの肉厚部２５の上方に、開口部２６が設けられており、この開口部は差込部モジュール３の第一接合側５に配置されており、この開口部を貫通して、バネ接触部９の接触個所２３は、第一接合側５に隣接した差込部モジュール３の接触片１９に貫通係合し、接触板２０の接触領域２１に当接できる。図３において、隣接した差込部モジュール３の接触片１９は二点鎖線で示してある。補足すると、図６と７は、接触しない、荷重が取除かれた位置において、バネ脚部２２は接触個所２３でもって差込みモジュール３の第二接合側６で突出しており、かつ確実に接触するためにバネの撓みが自由に使用できる。
【００１４】
さらに図６と７から、どのようにして短絡接触の分離、したがって差込まれた位置での差込部モジュール３のバネ接触部９と相手側接触部１０の分離が行われるかがわかる。差込部モジュール３は、その接合側５，６において、互いに向かい合った接合側５，６の間で差込部モジュール３を接合して配設する際に、差込み方向で結合部モジュール４に向って開口している接合空域１２が生じるように輪郭を与えられている。接合空域１２が識別できるように、図６では左半分において、結合部モジュール４は差込まれた最終端部位置とは間隔をおいて示してある。したがってここでは、右のバネ脚部２２における短絡接触位置も示してある。
【００１５】
結合部モジュール４は分離壁２８の形状の分離要素を備えており、この分離壁は結合部モジュール４の第一接合側７にあり、その表面では差込み方向に突出している。分離壁２８の肉厚は差込み部モジュール３の間の接合空域１２の幅に合わせられており、さらに差込み部１と結合部２を差込んで一つにする際、結合部モジュール４の分離壁が、二つの隣接した差込み部モジュール３の間の、そこに所属している接合空域１２内に入り込むように分離壁２８は差込み方向に整向されており、この場合分離壁２８は、差込み部１と結合部２が差込まれた最終端位置に達する寸前に、一方のモジュール３のバネ接触部９の接触個所２３と他方のモジュール３の相手側接触部１０の間で滑動し、それにより図７で右側半分に示したように短絡を解除する。
【００１６】
差込み部１と結合部２の差込まれた位置において、一方の側に沿った外側の差込み部モジュール４の外へ向って配置された分離壁２８は−図６及び７で右側においてわかるように−向かい合って差込まれた外側の差込み部モジュール３の第一接合側５を、この第一接合側５に露出している差込み部モジュール３の相手側接触部１０が覆い隠されている程度に覆う。差込み部１の相対する側において外側に設けられた差込み部モジュール３において、開放した第二接合側６はここにあるバネ接触部９を覆うために、図示していない蓋を用いて閉塞することができる。
【図面の簡単な説明】
【００１７】
【図１】モジュール式の差込み部とモジュール式の結合部から成る差込み結合体の斜視図である。
【図２】図１による差込み結合体の差込み結合体部分のモジュールの一つの斜視図である。
【図３】図２による差込み部モジュールの別の斜視図である。
【図４】切り離された状態で描かれた短絡接触片を備えた差込み部モジュールの図２に対応する図である。
【図５】差込み部モジュールの短絡接触片の概略斜視図である。
【図６】差込み過程の際の中間位置における、二つの差込み部モジュールと二つの結合部モジュールから形成された差込み結合体の縦断面図である。
【図７】差込まれる最終端位置での同じ描写における図６の差込み結合体図である。
【符号の説明】
【００１８】
１        差込み部
２        結合部
３        差込み部モジュール
４        結合部モジュール
５        第一接合側
６        第二接合側
７        接合側
８        接合側
９        バネ接触部
１０      相手側接触部
１１      分離部材
１２      接合空域
１３      差込みピン
１４      差込み孔
１５      固定フック
１６      固定脚節部
１７      作動接点
１８      作動接点
１９      短絡接触片
２０      接触板
２１      接触領域
２２      バネ脚部
２３      接触個所
２４      彎曲関節部
【図１】
0004525983.tif 000002
【図２】
0004525983.tif 000003
【図３】
0004525983.tif 000004
【図４】
0004525983.tif 000005
【図５】
0004525983.tif 000006
【図６】
0004525983.tif 000007
【図７】
0004525983.tif 000008